(57)【要約】【課題】通常の紐靴であっても靴ひもを結んだまま履いたり脱いだりすることを可能とするきわめて実用的な靴ひもを提供する。【解決手段】靴ひも１は、コア材２および表層材３によって構成されており、直径が約２．５ｍｍで長さが８５ｃｍの長尺な紐状を有している。コア材２は、合成ゴムによって形成されており、直径が約１．０ｍｍで長さが８５ｃｍの長尺な円柱状を有している。一方、表層材３は、太さが２０ｄの合成樹脂繊維によって、平編みで編み込まれた編み地であり、黒色に染色されている。そして、当該表層材３は、コア材２の外周を隙間を形成することなく覆った状態になっている。【選択図】図１
2015089437.tif 000002
【特許請求の範囲】
【請求項１】
靴の前面を締結するための靴ひもであって、
伸縮性を有する長尺なコア材の外周が、織布あるいは編み地からなる表層材によって被覆されていることを特徴とする靴ひも。
【請求項２】
コア材が合成ゴムによって形成されていることを特徴とする請求項１に記載の靴ひも。
【請求項３】
表層材が平編みした編み地によって形成されていることを特徴とする請求項１、または請求項２に記載の靴ひも。
【発明の詳細な説明】
【技術分野】
【０００１】
本発明は、靴（紐靴）の前面を締結するために用いる靴ひもに関するものである。
【背景技術】
【０００２】
一般的な紐靴は、前面（甲の部分）の左右に複数の紐孔が設けられており、一本の靴ひもをそれらの紐穴に交互に通して、その靴ひもの両端同士を甲の上部で結ぶことで足に固定される。それゆえ、脱いだり履いたりする際に、靴ひもを、一々解いたり結び直したりしなければならないし、そのような煩わしさを低減するために、靴ひもを緩く結ぶと、紐靴の足へのフィット感が低減してしまう。
【０００３】
そのため、靴ひもを結んだまま履いたり脱いだりすることを可能とすべく、特許文献１の如く、はとめ補強の履き口寄りの外甲側および内甲側の上端に平織りゴムを装着した紐靴が提案されている。
【先行技術文献】
【特許文献】
【０００４】
【特許文献１】特開２０００−０００１０４号公報
【発明の概要】
【発明が解決しようとする課題】
【０００５】
しかしながら、特許文献１の如き、はとめ補強の履き口寄りの外甲側および内甲側の上端に平織りゴムを装着する構造を採用しようとすると、紐靴のデザインが限定されてしまう。殊に、紳士用や婦人用の革靴には、そのような構造を採り入れ難い。
【０００６】
本発明の目的は、上記従来の紐靴が有している問題点を解消し、通常の紐靴であっても靴ひもを結んだまま履いたり脱いだりすることを可能とするきわめて実用的な靴ひもを提供することにある。
【課題を解決するための手段】
【０００７】
請求項１に記載した発明は、靴の前面を締結するための靴ひもであって、伸縮性を有する長尺なコア材の外周が、織布あるいは編み地によって覆われていることを特徴とするものである。なお、伸縮性を有するコア材の素材としては、天然ゴム、合成ゴム、その他の樹脂材料等を挙げることができる。また、本発明に係る靴ひもは、所謂、丸ひもでも良いし、平ひもでも良いが、丸ひもであると、耐久性が高くなるので好ましい。さらに、本発明に係る靴ひもは、蝋（蜜蝋）やシリコーン樹脂等で表面を覆った所謂ロー引きのものでも良い。
【０００８】
請求項２に記載した発明は、請求項１に記載した発明において、コア材が合成ゴムによって形成されていることを特徴とするものである。なお、合成ゴムとは、ポリブタジエン系、ニトリル系、クロロプレン系等の人工的に合成される各種のゴムのことである。
【０００９】
請求項３に記載した発明は、請求項１、または請求項２に記載した発明において、表層材が平編みした編み地によって形成されていることを特徴とするものである。
【発明の効果】
【００１０】
請求項１に記載の靴ひもは、中心のコア材によって高い伸縮性を発現するため、紐靴に使用した場合に、その紐靴の前面で結ばれた状態で、使用者が紐靴を履いたり脱いだりすることを可能とする上、使用者には十分なフィット感を提供することができる。
【００１１】
請求項２に記載の靴ひもは、コア材の耐久性および伸縮性が良好であるので、紐靴の前面で結ばれた状態で使用者が紐靴を履いたり脱いだりすることを、長期間に亘って可能とする。
【００１２】
請求項３に記載の靴ひもは、中心のコア材と表層材との相乗効果によって、非常に高い伸縮性を発現するため、どのようなタイプの紐靴に使用した場合でも、その紐靴の前面で結ばれた状態で、使用者が容易に紐靴を履いたり脱いだりすることを可能とする上、使用者には十分なフィット感を提供することができる。
【図面の簡単な説明】
【００１３】
【図１】靴ひもを示す説明図である（ａは斜視図であり、ｂは断面図であり、ｃは端縁部分の拡大図である）。
【発明を実施するための形態】
【００１４】
以下、本発明に係る靴ひもについて、図面を参照しつつ詳細に説明する。
＜靴ひもの構造＞
図１は、本発明に係る靴ひもを示したものであり、靴ひも１は、コア材２および表層材３によって構成されており、直径が約２．５ｍｍで長さが約８５ｃｍの長尺な紐状を有している。
【００１５】
コア材２は、合成ゴム（イソプレンゴム）によって形成されており、直径が約１．０ｍｍで長さが約８５ｃｍの長尺な円柱状を有している。一方、表層材３は、太さが２０ｄ（デニール）の合成樹脂繊維（ポリエステル繊維）によって、平編みで編み込まれた編み地であり、染料によって黒色に染色されている。そして、当該表層材３は、コア材２の全体の外周を隙間を形成することなく覆った状態になっている。
【００１６】
また、靴ひも１の両端際の部分の外周には、端縁の解れを防止するための筒状部材４，４が固着されている。それらの筒状部材４，４は、厚さ約０．５ｍｍの透明なセルロイド製シートによって、直径が約３．０ｍｍで長さが約１５．０ｍｍの円筒状に形成されたものであり、熱融着によって表層材３の外周に固着されている。
【００１７】
＜靴ひもの使用方法＞
上記の如く構成された靴ひもは、市販の靴ひもと同様に、紳士用や婦人用等の紐靴の前面（甲の部分）において、左右の紐孔に交互に架け渡して、前面の上部で、両端の部分を結ぶ（締着する）態様で使用される。
【００１８】
＜靴ひもの効果＞
上記の如く紳士用や婦人用等の紐靴の前面で結び付けられた靴ひも１は、中心のコア材２が良好な伸縮性を発現するとともに、平編みされた編み地である表層材３も伸縮してコア材２の良好な伸縮性を阻害しないため、紐靴の前面で結び付けられた状態で使用者が容易に紐靴を履いたり脱いだりすることを可能とする。また、使用者が紐靴を履いた状態においては、もとの長さに戻るように収縮することによって、使用者に十分なフィット感を提供することができる。
【００１９】
さらに、靴ひも１は、コア材２が合成ゴム（イソプレン）によって形成されており、コア材２の耐久性および伸縮性が良好であるので、紐靴の前面で結ばれた状態で使用者が紐靴を履いたり脱いだりすることを、長期間に亘って可能とする。
【００２０】
＜靴ひもの変更例＞
本発明に係る靴ひもの構成は、上記実施形態の態様に何ら限定されるものではなく、コア材、表層材、筒状部材等の材質、形状等の構成を、本発明の趣旨を逸脱しない範囲で、必要に応じて適宜変更することができる。
【００２１】
たとえば、コア材は、合成ゴムによって形成されたものに限定されず、天然ゴム等によって形成されたものに変更することも可能である。また、表層材も、平編みされた編み地に限定されず、経編み・横編み等の他の編み方による編み地や、織布からなるもの等に変更することも可能である。さらに、表層材の素材もポリエステル繊維に限定されず、他の合成繊維、綿糸・麻糸等の天然繊維、あるいはそれらの混合繊維等に変更することも可能である。加えて、筒状部材もセルロイド製のものに限定されず、他の合成樹脂等によって形成されたものに変更することも可能である。なお、筒状部材をセルロイド製のものとした場合には、熱融着後の表層材との接着性が良好となるので、靴ひもを伸長させた場合でも把持部材が表層材から剥がれにくい、というメリットがある。
【００２２】
加えて、本発明に係る靴ひもの形状は、上記実施形態に限定されず、長さ、太さ（直径）、色等を必要に応じて適宜変更することができる。また、コア材の太さ、長さや、表層材の厚さも、必要に応じて適宜変更することができる。さらに、コア材は、全体が伸縮性を発現するものに限定されず、伸縮性を発現する部分が所定の間隔で設けられたものでも良い。
【産業上の利用可能性】
【００２３】
本発明に係る靴ひもは、上記の如く優れた効果を奏するものであるので、紳士用や婦人用等の紐靴の靴ひもとして好適に用いることができる。
【符号の説明】
【００２４】
１・・靴ひも
２・・コア材
３・・表層材
４・・筒状部材
【図１】
2015089437.tif 000003